(57)【要約】【課題】半割りに先立ち、配管を短尺に切断する必要性をなくし、１ｍ以上の長さを有する細管であれば、短尺に切断して管の長さを揃えることなく、長いままで連続して縦割り切断できる半割切断機を提供することにある。【解決手段】小口径配管を長手方向に送って半割りする切断機であって、前記切断機は導入された配管を前方に送り出すための一対の前部送りディスクと、配管の両側を切断して上下に分割する一対の切断ディスクと、分割切断された配管を筒状に維持した状態で前方に送り出す一対の後部送りディスクとを備え、これらディスクが配管の送り方向に順に装着されており、前記一対の切断ディスクと一対の後部送りディスクとの間に、半割り分割しようとする配管と同心状に置かれた水平ガイド羽根を有する切断ガイド棒を設けた。【選択図】      図１
2005007483.tif 000002
【特許請求の範囲】
【請求項１】
小口径配管を長手方向に送って半割りする切断機であって、
前記切断機は導入された配管を水平方向前方に送り出すための左右一対の前部送りディスクと、配管の両側を長手方向に切断して上下に分割する左右一対の切断ディスクと、分割切断された配管を筒状に維持した状態で前方に送り出す左右一対の後部送りディスクとを備え、これらディスクが配管の送り方向に向って順に機枠上に装着されており、
前記一対の切断ディスクと一対の後部送りディスクとの間に、半割り分割しようとする配管と同心の切断ガイド棒を設けたことを特徴とする
小口径配管の半割切断機。
【請求項２】
前記一対の前部送りディスクと、一対の後部送りディスクは切断しようとする配管を間に挟んで水平に対設され、各ディスクは周辺にＶ形凹溝を有し、前記後部送りディスクにはさらに前記Ｖ形凹溝の中央部に切断された配管の側部に生じた切断ディスクの切り代分に相当するスリットに挿入可能な環状の押圧ディスクを有している請求項１記載の小口径配管の半割切断機。
【請求項３】
前記一対の切断ディスクは、切断しようとする配管の送り方向に対し対称位置に配設した左右一対の円盤状チップソーよりなり、各円盤状チップソーはその周上に多数の切歯を有し、切断しようとする配管と同心位置に配した切断ガイド棒を芯金として切断することを特徴とする請求項１記載の小口径配管の半割切断機。
【請求項４】
前記切断ガイド棒は先端に円錐状をした先細案内部を、中央部に切断ディスクによって配管の側部に生じた切断ディスクの切代分に相当するスリットに嵌まる先細傾斜部を備えた水平ガイド羽根を、そして前記左右一対の切断ディスクに対応する位置と、前記左右一対の後部送りディスクに対応する位置とに、それぞれ凹所を有していることを特徴とする請求項１記載の小口径配管の半割切断機。
【請求項５】
前記左右一対の切断ディスクの前後位置に、切断しようとする配管の横ずれを防止する前ガイドローラと後ガイドローラを有している請求項１記載の小口径配管の半割切断機。
【発明の詳細な説明】
【０００１】
【発明の属する技術分野】
例えば原子力発電所内で使用された送液配管、電装被覆管、熱交換用細管等の小口径配管（以下、「配管」という）を除却する際に、配管内に放射性物質の付着（以下、「汚染」という）がないことを確認する必要がある。小口径配管は管の内径が小さいのでサーベイメータ等によりそのまま管内の汚染を測定することは困難である。
【０００２】
本発明は、このような配管の除却時における汚染の測定を容易にするための小口径配管の半割切断機に関するものである。
【０００３】
【従来の技術】
配管の除却時に、配管の縦割り切断装置として、多段回転刃による管材縦割り切断装置がしられている（例えば、特許文献１参照。）。これは油圧シリンダを用いて管材を切断部へ押し出し、回転刃により管を縦割りに切断する装置である。この装置では、油圧シリンダの長さに合わせてあらかじめ一定の長さに切断した同一径の配管を、縦割りに切断するものである。
【０００４】
又移動可能な台車にバンドソーを設置した管材又は板材の縦割り切断装置もしられている（例えば、特許文献２参照。）。この装置も、切断する管材はあらかじめ一定の長さに切断しておく必要がある。
【０００５】
さらに管の内部に芯金を挿入して円形鋸刃（チップソー）で切断するものもしられている。これは芯金の大きさを調整することで、径の小さい管も切断できるようになっている。しかし、あまり小さな径の配管には対応できない。また、管の長さは芯金より短い長さに切断しておく必要があり、完全に半割するためには芯金を１８０°旋回させて鋸刃の通る溝を上下逆にしたのち、円形鋸刃を１往復させる必要がある。
【０００６】
【特許文献１】
実開平４−９２７１８号公報
【特許文献２】
実開平１−６０８２０号公報
【特許文献３】
特開平１０−３０９６２３号公報
【０００７】
【発明が解決しようとする課題】
公知技術のごとく、半割りに先立ち、配管を短尺に切断する必要性をなくし、１ｍ以上の長さを有する細管であれば、切断して管の長さを揃えることなく、長尺のままで連続して半割り切断できる半割切断機を提供することにある。
【０００８】
【課題を解決するための手段】
（１）小口径配管を長手方向に送って半割りする切断機であって、
前記切断機は導入された配管を水平方向前方に送り出すための左右一対の前部送りディスクと、配管の両側を長手方向に切断して上下に分割する左右一対の切断ディスクと、分割切断された配管を筒状に維持した状態で前方に送り出す左右一対の後部送りディスクとを備え、これらディスクが配管の送り方向に向って順に機枠上に装着されており、
前記一対の切断ディスクと一対の後部送りディスクとの間に、半割り分割しようとする配管と同心の切断ガイド棒を設けた。
（２）前記一対の前部送りディスクと、一対の後部送りディスクは切断しようとする配管を間に挟んで水平に対設され、各ディスクは周辺にＶ形凹溝を有し、前記後部送りディスクにはさらに前記Ｖ形凹溝の中央部に切断された配管の側部に生じた切断ディスクの切り代分に相当するスリットに挿入可能な環状の押圧ディスクを有している。
（３）前記一対の切断ディスクは、切断しようとする配管の送り方向に対し対称位置に配設した左右一対の円盤状チップソーよりなり、各円盤状チップソーはその周上に多数の切歯を有し、切断しようとする配管と同心位置に配した切断ガイド棒を芯金として切断する。
（４）前記切断ガイド棒は先端に円錐状をした先細案内部を、中央部に切断ディスクによって配管の側部に生じた切断ディスクの切代分に相当するスリットに嵌まる先細傾斜部を備えた水平ガイド羽根を、そして前記左右一対の切断ディスクに対応する位置と、前記左右一対の後部送りディスクに対応する位置とに、それぞれ凹所を有している。
（５）前記左右一対の切断ディスクの前後位置に、切断しようとする配管の横ずれを防止する前ガイドローラと後ガイドローラを有している。
【０００９】
【発明の実施の形態】
図１〜図９に基いて、配管の半割切断機の実施形態について説明する。
図１は半割切断機の平面図、図２は同じく側面図、図３は切断機の操作盤、図４は切断ディスクの一例としてのチップソーの平面図、図５は後部送ディスク、図６は図５の左側面図である。図７は半割切断機の要部拡大平面図、図８は同じく要部側面図、図９は切断ガイド棒の拡大詳細図である。
【００１０】
図１で、符号１は機枠で、機枠１の下部にキャスタ２が設けられ、これによって移動可能である。機枠１はアジャスター３で、所定位置に移動後にこれによって位置決めして使用する。
【００１１】
機枠１上に本発明にかかわる半割切断機が設けられている。機枠１の前部に前部ガイドローラフレーム４が設けられ、このフレーム４の前と後に配管のガイドローラ５が設けられている。
【００１２】
半割切断しようとする配管Ｐは、ガイドローラ５に沿って前方に送られ、水平に置かれた左右一対の前部送りディスク６に挟まれてさらに前方に送られる。一対の前部送りディスク６・６は機枠１の下部に搭載した前部送りディスク駆動モータ７によって回転駆動される。
【００１３】
一対の前部送りディスク６・６にて送られた配管Ｐは、左右一対のガイドローラ８で横ずれを防止されつつ案内され、次の左右一対の切断ディスク１０，１０に送られ、ここで半割切断される。
【００１４】
一対の前部送りディスク６・６は配管を送り易くするため周面にＶ形凹溝を有している。そして配管Ｐの径に応じてその間隔を調節する手動のハンドル９を備え、これを回転することによって、左右一対の前部送りディスク６・６は互に水平方向に接・離して所定の間隔に調節される。
【００１５】
一対の切断ディスク１０，１０はたとえば図４に示すようなチップソーが使用される。一対の切断ディスクも手動ハンドル９を有し、これにより切断ディスク１０，１０間の間隔を配管Ｐの径に合わせて調節することができる。
【００１６】
一対の切断ディスク１０，１０で配管Ｐは両側を同時に切断され、その長手方向両側に切断ディスク１０，１０の切歯１１の厚さ分の切り代に相当するスリットが形成されて一対の後ガイドローラ１２を経て、後部送りディスク１３，１３により後ガイドローラフレーム１８上に送り出される。一対の後部送りディスク１３，１３も前部送りディスク６，６と同様に周面にＶ形凹溝１４を有している。そして手動ハンドル９によって間隔の調節を行うことができる。
【００１７】
一対の切断ディスク１０，１０によって半割される配管Ｐは、その中心に同心状に位置する切断ガイド棒１５で配管の中心部をガイドされている。切断ガイド棒１５は両側に先細傾斜部１６を有する水平ガイド羽根１９に設けた取付部２０で機枠１上にボルト２１で保持されている。
【００１８】
前記切断ガイド棒１５は配管Ｐの中心に同心的に挿入されるが、一対の切断ディスク１０，１０の切歯１１（図４）が切り込む位置に左右対称の前方凹所２３，２３を有している。
【００１９】
後部送ディスク１３には図５に示すように、周面に設けたＶ形凹溝の中央位置に環状の押さえディスク１７が付いており、この押さえディスク１７が半割切断された配管Ｐの両側に形成された前記切代分相当のスリットに挿入されることで、配管Ｐの滑りを防止し、的確に配管Ｐを後ガイドローラフレーム１８に向けて引き抜き送り出すことができる。
【００２０】
図９を参照して切断ガイド棒１５についてさらに説明する。
切断ガイド棒１５はその中央部に羽根状の水平ガイド羽根１９を有している。水平ガイド羽根１９はその両側端が下側に屈曲延長して機枠１への取付部２０となっている。取付部２０でボルト等２１で機枠に取付けられている。
【００２１】
切断ガイド棒１５の先端はコーン状をした先細先端部２２となり、ここから配管Ｐの先端が案内されて進入する。この先端の先細先端部２２の後方に前方凹所２３が、又切断ガイド棒１５の後端近傍には後方凹所２４が対称的に設けられている。
【００２２】
前方凹所２３は切断ディスク１０の切歯１１（図４）に対向する位置にあり、これによって図４に示すチップソー等の切断ディスク１０の切歯１１による切断時に、切歯先端との干渉をさけている。
【００２３】
前記切断ガイド棒１５の後方凹所２４は後部送ディスク１３に対応する位置にあり、これにより後部送ディスク１３の中央部に設けた環状の押えディスク１７の出張りとの干渉をさけている。
【００２４】
水平ガイド羽根１９は前記前方凹所２３の後方にあり、先細傾斜部１６を有している。切断ディスク１０で両側部を切断されて上下に分割された配管Ｐが後方に送られてきたとき、スムーズにこの部分を通過できるようになっている。即ち、水平ガイド羽根１９は、その厚さｔ（図９・ｂ）が切断ディスク１０で切断された配管Ｐの両側部に形成されたスリット幅と略等しく、この水平ガイド羽根１９が配管両側のスリットに嵌り、配管はその断面形状を崩すことなくスムーズに通過できるようになっている。
【００２５】
一対の切断ディスク１０，１０によって切り落されて下部に落ちた切粉は真空掃除機２５にて吸引される。２６は操作盤である。
【００２６】
（半割切断機による配管の半割切断）
（１）配管Ｐを前部ガイドローラーフレーム４上に乗せ、前部送ディスク６，６間にセットし、前部送ディスク６，６の回転駆動により配管Ｐを切断ディスク１０，１０の方へ自動的に送る。
（２）配管Ｐは前ガイドローラ８，８により垂直方向及び水平方向に対し安定ガイドされ、移送の際のブレが防止される。そして切断ディスク１０，１０の直前で切断ガイド棒１５の先端先細部２２に向って進入する。
（３）配管Ｐは、切断ディスク１０，１０で長手方向に半割切断される。
（４）半割切断された配管Ｐは、切断ガイド棒１５の前方凹所２３上で上下に分離され、後ガイドローラ１２，１２で水平方向のブレを抑えられながら後部送ディスク１３，１３へ送られる。
（５）半割切断された配管Ｐは後部送ディスク１３，１３で引張られ、切断ディスク１０，１０から引き抜かれる。
（６）半割切断された配管Ｐは、後部送ディスク１３，１３から後部ガイドローラーフレーム１８上へと送られる。
（７）配管Ｐを半割切断する際に発生した切り粉は真空掃除機２５で回収される
（８）前部送ディスク駆動モータ７、切断ディスク駆動モータ２７、後部送ディスク駆動モータ２８の駆動停止は操作盤２６で操作する。
半割切断機の移動は専用キャスタ２を設けてあるので、手押しで容易に移動できる。そして対象配管Ｐを半割切断する際は、アジャスタ３で所定の作業場所に固定して作業を開始する。
【００２７】
【発明の効果】
配管Ｐを前部送りディスク６，６と、後部送りディスク１３，１３と、前ガイドローラ８，８と、後ガイドローラ１２，１２及び切断ガイド棒１５等でガイドしながら連続的に送ることができるので、配管を長尺のまま半割切断することができ、従来のごとく配管の長さを一定に揃える前処理の必要がなくなった。
【００２８】
特に切断ガイド棒１５に、先細傾斜部を有する水平ガイド羽根１９を左右対称的に設け、切断された配管Ｐのスリットにこの水平ガイド羽根１９がその先細先端部から進入するので、上下に分断された配管は上下分断片間のスリットを水平ガイド羽根で埋められるので、円形を保ったままスムーズに送られる。
【００２９】
さらに、後部送ディスクの周面Ｖ形凹溝の中央部に押えディスクを設け、これを切断ディスクの切歯で切断したスリットに食い込むようにしたので、配管Ｐは切断されて上下２つ割りになっても、ばらばらになることなく安定して送られる。
【００３０】
これら切断ガイド棒の先細先端部を有する水平ガイド羽根と、後部送ディスクの押えディスクとが両々相俟って、半割された配管のスムーズな送りに寄与するので、先にのべたように配管を短尺に予め切断することなく、長尺のままで連続的に送ることが可能となった。
【００３１】
切断ディスク（たとえばチップソー）を切断しようとする配管Ｐの材質に適したものに交換することで、黄銅製、軟鉄製、ＳＵＳ製等の配管の半割り切断に容易に適用できる。
【００３２】
対象となる小径の配管として、例えばＪＩＳ規格で約１５Ａ（外径約２１ｍｍ）〜４０Ａ（外径約５０ｍｍ）程度の管を半割り加工できる。
【図面の簡単な説明】
【図１】小口径配管の半割切断機全体平面図である。
【図２】小口径配管の半割切断機全体側面図である。
【図３】半割切断機の操作盤。
【図４】チップソーの側面図である。
【図５】後送りディスクの側面図である。
【図６】図３の左側面図である。
【図７】半割り切断機の要部拡大平面図である。
【図８】図７のＸ矢視図である。
【図９】切断ガイド棒の拡大詳細図である。
【符号の説明】
Ｐ  対象配管
１  機枠                        ２  キャスタ
３  アジャスタ                  ４  前部ガイドローラフレーム
５  ガイドローラ                ６  前部送ディスク
７  前部送ディスク駆動モータ    ８  前ガイドローラ
９  ハンドル                    １０  切断ディスク
１１  （切断ディスクの）切歯      １２  後ガイドローラ
１３  後部送ディスク              １４  Ｖ形凹溝
１５  切断ガイド棒                １６  先細傾斜部
１７  押さえディスク              １８  後部ガイドローラフレーム
１９  水平ガイド羽根              ２０  取付部
２１  ボルト                      ２２  先細先端部
２３  前方凹所                    ２４  後方凹所
２５  真空掃除機                  ２６  操作盤
２７  切断ディスク駆動モータ      ２８  後部送ディスク駆動モータ
【図１】
2005007483.tif 000003
【図２】
2005007483.tif 000004
【図３】
2005007483.tif 000005
【図４】
2005007483.tif 000006
【図５】
2005007483.tif 000007
【図６】
2005007483.tif 000008
【図７】
2005007483.tif 000009
【図８】
2005007483.tif 000010
【図９】
2005007483.tif 000011